(57)【特許請求の範囲】
【請求項１】
箱状に形成されタブ状の第一ブラケットの挿入を許容する内部空間を有し該内部空間に円弧状に形成されるストッパ部を有し前記第一ブラケットに向けて挿入することにより第一の嵌合状態が形成される第一嵌合部と、前記第一ブラケットと同様にタブ状に形成される第二ブラケットに向けて挿入することにより第二の嵌合状態が形成される第二嵌合部とを、斜め方向にのびるプロテクタ本体の側壁に所定の間隔で一体化してなり、
前記第一ブラケットの軸を左右方向に合わせ且つ該第一ブラケットの突出方向を左方向とすると、前記第二ブラケットは前記プロテクタ本体の斜め方向に応じて上方向又は下方向に突出するものとし、前記第一ブラケットの軸を左右方向に合わせ且つ該第一ブラケットの突出方向を右方向とすると、前記第二ブラケットは前記プロテクタ本体の斜め方向に応じて上方向又は下方向に突出するものとし、前記第一ブラケットの軸を上下方向に合わせ且つ該第一ブラケットの突出方向を上方向とすると、前記第二ブラケットは前記プロテクタ本体の斜め方向に応じて左方向又は右方向に突出するものとし、前記第一ブラケットの軸を上下方向に合わせ且つ該第一ブラケットの突出方向を下方向とすると、前記第二ブラケットは前記プロテクタ本体の斜め方向に応じて左方向又は右方向に突出するものとし、このような第一ブラケットの向き及び第二ブラケットの向きを前提にして、
前記第一嵌合部は、該第一嵌合部の軸が前記第一ブラケットの軸に対して傾くような挿入方向にて嵌合が開始するとともに、次第に前記第一嵌合部の軸が前記第一ブラケットの軸に対し略一致するように嵌合が進行して前記ストッパ部と前記第一ブラケットの先端部とが当接した状態で前記第一の嵌合状態が形成され、
前記第二嵌合部は、前記第一嵌合部の嵌合が進行する過程で前記第二嵌合部の軸が前記第二ブラケットの軸に対し傾く挿入方向にて嵌合が開始するとともに、次第に前記第二嵌合部の軸が前記第二ブラケットの軸に対し略一致するように嵌合が進行して前記第二の嵌合状態が形成される
ことを特徴とするプロテクタ。
【請求項２】
請求項１に記載のプロテクタにおいて、
前記第一嵌合部は、この内部に前記第一ブラケットの側部に対し弾性的に接触する第一弾性接触片を有し、前記第二嵌合部も、この内部に前記第二ブラケットの側部に対し弾性的に接触する第二弾性接触片を有する
ことを特徴とするプロテクタ。
【発明の詳細な説明】
【技術分野】
【０００１】
本発明は、ワイヤハーネスを保持、保護しつつ、ブラケットを介して例えば車体に固定するプロテクタに関する。
【背景技術】
【０００２】
図５において、プロテクタ１は、真っ直ぐにのびるプロテクタ本体２と、このプロテクタ本体２に一体化する一対の嵌合部３とを有している。プロテクタ本体２は、底壁４と、底壁４の両側にそれぞれ立設する側壁５とを有しており、この内部にワイヤハーネス６が収納されるようになってる。ワイヤハーネス６は、プロテクタ１によって保持されるとともに保護されるようになっている。
【０００３】
相対向する側壁５の一方には、嵌合部３が所定の間隔で一体に形成されている。嵌合部３は、プロテクタ１を固定するための部分であって、例えば車体に設けられる一対のブラケット７に対し挿入をすると嵌合状態が形成されて、これによりプロテクタ１の固定がなされるようになっている。
【０００４】
嵌合部３は、真っ直ぐに貫通するブラケット挿入孔８と、このブラケット挿入孔８内に突出する係止突起９とを有している。ブラケット挿入孔８は、タブ状のブラケット７への挿入部分として形成されている。
【特許文献１】特開平１０−３２２８４２号公報  （第２頁、第１４図）
【発明の開示】
【発明が解決しようとする課題】
【０００５】
上記従来技術にあっては、ワイヤハーネス６を収納したプロテクタ１を矢印Ｅ方向に移動させると、一対の嵌合部３が一対のブラケット７に対して同時に挿入され、これにより嵌合状態が形成されて車体への固定が完了するようになっている。すなわち、プロテクタ１は一つの挿入方向（矢印Ｅ方向）に移動させることで車体に固定することができるような構造になっている。
【０００６】
ところで、一つの挿入方向に移動させるだけでプロテクタ１を車体に固定することができる構造は、作業性に配慮した構造であると言えるが、手を差し入れなければ作業をすることができないような、例えば座席の下にブラケット７を設けて（当然作業者にとって見づらい位置にブラケット７を設ける）、この位置にプロテクタ１を固定しようとする場合を考えると、プロテクタ１を一つの挿入方向に移動させて固定するのでは、作業性が非常に悪くなってしまうこともある。従って、従来のプロテクタ１にあっては、このような作業性に係る問題点を有している。
【０００７】
本発明は、上述した事情に鑑みてなされたもので、固定に係る作業性の向上を図ることが可能なプロテクタを提供することを課題とする。
【課題を解決するための手段】
【０００８】
上記課題を解決するためになされた請求項１記載の本発明のプロテクタは、箱状に形成されタブ状の第一ブラケットの挿入を許容する内部空間を有し該内部空間に円弧状に形成されるストッパ部を有し前記第一ブラケットに向けて挿入することにより第一の嵌合状態が形成される第一嵌合部と、前記第一ブラケットと同様にタブ状に形成される第二ブラケットに向けて挿入することにより第二の嵌合状態が形成される第二嵌合部とを、斜め方向にのびるプロテクタ本体の側壁に所定の間隔で一体化してなり、
前記第一ブラケットの軸を左右方向に合わせ且つ該第一ブラケットの突出方向を左方向とすると、前記第二ブラケットは前記プロテクタ本体の斜め方向に応じて上方向又は下方向に突出するものとし、前記第一ブラケットの軸を左右方向に合わせ且つ該第一ブラケットの突出方向を右方向とすると、前記第二ブラケットは前記プロテクタ本体の斜め方向に応じて上方向又は下方向に突出するものとし、前記第一ブラケットの軸を上下方向に合わせ且つ該第一ブラケットの突出方向を上方向とすると、前記第二ブラケットは前記プロテクタ本体の斜め方向に応じて左方向又は右方向に突出するものとし、前記第一ブラケットの軸を上下方向に合わせ且つ該第一ブラケットの突出方向を下方向とすると、前記第二ブラケットは前記プロテクタ本体の斜め方向に応じて左方向又は右方向に突出するものとし、このような第一ブラケットの向き及び第二ブラケットの向きを前提にして、
前記第一嵌合部は、該第一嵌合部の軸が前記第一ブラケットの軸に対して傾くような挿入方向にて嵌合が開始するとともに、次第に前記第一嵌合部の軸が前記第一ブラケットの軸に対し略一致するように嵌合が進行して前記ストッパ部と前記第一ブラケットの先端部とが当接した状態で前記第一の嵌合状態が形成され、
前記第二嵌合部は、前記第一嵌合部の嵌合が進行する過程で前記第二嵌合部の軸が前記第二ブラケットの軸に対し傾く挿入方向にて嵌合が開始するとともに、次第に前記第二嵌合部の軸が前記第二ブラケットの軸に対し略一致するように嵌合が進行して前記第二の嵌合状態が形成されることを特徴としている。
【０００９】
このような特徴を有する本発明によれば、向きの異なる第一ブラケット及び第二ブラケットにプロテクタを固定する際に、先ず、プロテクタの第一嵌合部を第一ブラケットの軸に対して傾けた状態で挿入して嵌合を開始する。次に、第一嵌合部と第一ブラケットとの嵌合を行いつつ第二嵌合部を第二ブラケットの軸に対して傾けた状態で挿入して第二嵌合部側も嵌合を開始する。この時、第二嵌合部は、第一ブラケットを支点とした回転軌跡を描くようになり、これによって第二嵌合部の第二ブラケットに対する嵌合が可能になる。
【００１０】
請求項２記載の本発明のプロテクタは、請求項１に記載のプロテクタにおいて、前記第一嵌合部は、この内部に前記第一ブラケットの側部に対し弾性的に接触する第一弾性接触片を有し、前記第二嵌合部も、この内部に前記第二ブラケットの側部に対し弾性的に接触する第二弾性接触片を有することを特徴としている。
【００１１】
このような特徴を有する本発明によれば、第一嵌合部と第一ブラケット、及び、第二嵌合部と第二ブラケットともガタ付きなく嵌合状態が形成される。
【発明の効果】
【００１２】
請求項１に記載された本発明によれば、作業者にとって見づらい位置や、作業しづらい位置にブラケットを設けなければならない場合であっても、或いは、異なる方向に向くブラケットを設定しなければならない場合であっても、比較的容易にプロテクタを固定することができる。従って、固定に係る作業性の向上を図ることが可能なプロテクタを提供することができるという効果を奏する。
【００１３】
請求項２に記載された本発明によれば、請求項１の効果の他に、ガタ付きのない嵌合状態を形成することができるという効果も奏する。
【発明を実施するための最良の形態】
【００１４】
以下、図面を参照しながら説明する。図１は本発明のプロテクタの一実施の形態を示す嵌合過程の状態説明図である。また、図２はプロテクタ及びブラケットの構造説明図、図３は第一嵌合部の断面図、図４は第二嵌合部の断面図である。
【００１５】
図１及び図２において、引用符号１１は本発明のプロテクタを示している。プロテクタ１１は、この内部にワイヤハーネス１２を収納した状態で、異なる方向に向く二つのブラケット（第一ブラケット１３、第二ブラケット１４）に嵌合するようになっている。ここで、第一ブラケット１３及び第二ブラケット１４は、自動車等の移動体の車体に設けられているものとする。プロテクタ１１は、ワイヤハーネス１２を保持及び保護した状態で車体に固定されるようになっている。
【００１６】
以下、上記の各構成部材について説明する（尚、図２の矢印Ａを左右方向、矢印Ｂを上下方向と定義して説明するものとする。左右方向Ａと上下方向Ｂは直交するものとする）。
【００１７】
図２を参照しながらブラケットに関して先に説明すると、第一ブラケット１３及び第二ブラケット１４は、共にタブ状に形成されている。第一ブラケット１３は、この先端が半円形状になるように形成されている。引用符号１５は先端側の円弧状の先端側部を示している。引用符号１６は幅方向の平行な側部を示している。第一ブラケット１３には、略正方形状の嵌合孔１７が貫通形成されている。この嵌合孔１７は、第一ブラケット１３の中心線（軸）Ｃ１上に配置形成されている。第一ブラケット１３の中心線（軸）Ｃ１は、本形態において、矢印Ａの左右方向に一致するように設定されている。
【００１８】
第二ブラケット１４は、第一ブラケット１３よりも幅広で、この先端にストレートな先端側部１８と、円弧状の角側部１９とを有している（図４参照）。引用符号２０は幅方向の平行な側部を示している。第二ブラケット１４には、略長方形状の嵌合孔２１が貫通形成されている。この嵌合孔２１は、第二ブラケット１４の中心線（軸）Ｃ２上に配置形成されている。第二ブラケット１４の中心線（軸）Ｃ２は、本形態において、矢印Ｂの上下方向に一致するように設定されている。嵌合孔２１は、この長手方向が中心線Ｃ２に直交するようになっている。すなわち、左右方向に長い長方形状に形成されている。
【００１９】
尚、第一ブラケット１３及び第二ブラケット１４は、例えば走行時の振動等に耐え得る剛性を有するものとする。第一ブラケット１３及び第二ブラケット１４は、金属製、合成樹脂製のいずれであっても良いものとする。
【００２０】
第一ブラケット１３は、車体の例えば座席下の台座２２に設けられている。また、第二ブラケット１４も同じく座席下の台座２３に設けられている。台座２２及び２３は、所定の間隔をあけて設けられている。台座２２は、作業者にとって台座２３よりも奥側に位置するように配置されている。また、台座２２は、台座２３よりも高さが低くなるように形成されている。第一ブラケット１３及び第二ブラケット１４は、図の場合、右下が第一ブラケット１３、左上が第二ブラケット１４となるように配置されている。
【００２１】
台座２２及び２３（第一ブラケット１３及び第二ブラケット１４）は、プロテクタ１１の固定作業に配慮してこの位置が設定されている。すなわち、例えば上記の座席下のように、作業者にとって固定位置が見づらく、一つの向きでプロテクタ１１を固定する作業を行うことが困難な場合に配慮して位置が設定されている。
【００２２】
図１及び図２において、プロテクタ１１は、絶縁性を有する合成樹脂材料による成形品であって、異なる向きの第一ブラケット１３及び第二ブラケット１４に対応するような嵌合構造を有している。本形態のプロテクタ１１は、三次元的にワイヤハーネス１２を配索することができるようになっている。
【００２３】
プロテクタ１１は、図の場合、右下がり方向（斜め方向）にのびるプロテクタ本体２４と、このプロテクタ本体２４に一体形成される第一嵌合部２５及び第二嵌合部２６と、プロテクタ本体２４に収納されたワイヤハーネス１２を覆う図示しないプロテクタカバーとを有している。プロテクタ１１は、図の場合、左方向に突出する第一ブラケット１３及び上方向に突出する第二ブラケット１４に対して、第一嵌合部２５及び第二嵌合部２６がそれぞれ嵌合するような嵌合構造を有している。プロテクタ１１は、プロテクタ本体２４にワイヤハーネス１２を収納した状態で、第一嵌合部２５及び第二嵌合部２６を介して座席下に固定されるようになっている。
【００２４】
プロテクタ本体２４は、底壁２７と、この底壁２７の両側にそれぞれ立設する側壁２８と、テープ巻き部２９とを有している。プロテクタ本体２４は、この内部にワイヤハーネス１２が収納されるようになってる。相対向する側壁２８には、図示しないプロテクタカバーを取り付けるためのカバー取付部３０が複数形成されている。相対向する側壁２８の一方には、第一嵌合部２５及び第二嵌合部２６が所定の間隔で一体に形成されている。
【００２５】
テープ巻き部２９は、略鍔状の形状であって、底壁２７の両端にそれぞれ連成されている。テープ巻き部２９は、プロテクタ本体２４の内部に収納されたワイヤハーネス１２をテープ巻きによって固定する部分として形成されている。
【００２６】
第一嵌合部２５は、図の場合、右下となる位置に形成されている。また、第二嵌合部２６は、左上となる位置に形成されている。第一嵌合部２５及び第二嵌合部２６は、プロテクタ１１を固定するための部分として設けられている。また、第一ブラケット１３及び第二ブラケット１４に嵌合する部分として形成されている。
【００２７】
図２において、プロテクタ１１を固定する前の状態では、第一嵌合部２５は、この軸（中心線でない）Ｃ３が第一ブラケット１３の中心線（軸）Ｃ１に対して平行となるように配置されている。また、第二嵌合部２６は、この中心線（軸）Ｃ４が第二ブラケット１４の中心線（軸）Ｃ２に対して平行となるように配置されている。第一嵌合部２５の軸Ｃ３と、第二嵌合部２６の中心線（軸）Ｃ４とをそれぞれ伸ばすと、直交するようになっている。図２の状態から分かるように、一つの方向で第一ブラケット１３及び第二ブラケット１４に嵌合させることができないような構造になっている。
【００２８】
図２及び図３において、第一嵌合部２５は、箱部３１と、嵌合アーム３２と、第一弾性接触片３３とを有している。箱部３１は、この内部に第一ブラケット１３の挿入を許容する内部空間３４を有している。内部空間３４は、第一ブラケット１３に対して十分に広いスペースを確保するように形成されている（第一ブラケット１３の幅よりも広い内部空間３４となる）。引用符号３５は第一ブラケット１３に対する挿入孔を示している。この挿入孔３５を介して第一ブラケット１３への挿入が行われるようになっている。挿入孔３５の位置には、第一ブラケット１３を内部空間３４に案内するためのテーパ状の案内部３６が形成されている。
【００２９】
嵌合アーム３２は、内部空間３４に存在するように形成されている。嵌合アーム３２は、可撓性を有しており、中間に嵌合突起３７が、また、先端側に嵌合解除部３８がそれぞれ形成されている。嵌合アーム３２は、第一嵌合部２５の軸Ｃ３上に配置形成されている。
【００３０】
嵌合アーム３２は、第一ブラケット１３が嵌合突起３７を乗り越えようとする時に撓むようになっている。また、嵌合アーム３２は、嵌合解除部３８を押下することによっても撓むようになっている。嵌合アーム３２が撓むと、嵌合突起３７の位置は変位する。第一ブラケット１３が嵌合突起３７を乗り越えると、嵌合アーム３２は元の状態に戻り、この時、嵌合突起３７が嵌合孔１７に差し込まれるようになっている。従ってこれにより、第一嵌合部２５と第一ブラケット１３との嵌合状態（第一嵌合状態）が形成されるようになっている。
【００３１】
嵌合突起３７や嵌合解除部３８は、箱部３１に形成された開口部３９、４０から臨むことができるように配置形成されている。嵌合アーム３２の近傍には、複数のリブ４１が形成されている。複数のリブ４１は、案内部３６から連続するように形成されている。
【００３２】
引用符号４２はストッパ部を示している。このストッパ部４２は、内部空間３４に存在するように形成されている。ストッパ部４２は、第一ブラケット１３の円弧状の先端側部１５に当接する部分として形成されている。ストッパ部４２は、円弧状に形成されている。特に限定するものではないが、第一ブラケット１３の先端側部１５にストッパ部４２が当接すると、この当接部分を支点にしてプロテクタ１１は回転方向に移動し易い状態になる。
【００３３】
第一弾性接触片３３は、内部空間３４に存在するように形成されている。第一弾性接触片３３は、内部空間３４においてガタ付きの発生を抑える部分として形成されている。第一弾性接触片３３は、本形態において、片持ちのアーム形状に形成されている。第一弾性接触片３３は、挿入孔３５の近傍から嵌合アーム３２に向けて斜めにのびるように形成されている。第一弾性接触片３３は、この先端側が第一ブラケット１３の一方の側部１６に対して弾性的に接触するようになっている。
【００３４】
図２及び図４において、第二嵌合部２６は、箱部４３と、嵌合アーム４４と、一対の第二弾性接触片４５とを有している。箱部４３は、この内部に第二ブラケット１４の挿入を許容する内部空間４６を有している。内部空間４６は、第二ブラケット１４に対して十分に広いスペースを確保するように形成されている（第二ブラケット１４の幅よりも広い内部空間４６となる）。引用符号４７は第二ブラケット１４に対する挿入孔を示している。この挿入孔４７を介して第二ブラケット１４への挿入が行われるようになっている。挿入孔４７の位置には、第二ブラケット１４を内部空間４６に案内するためのテーパ状の案内部４８が複数形成されている。
【００３５】
嵌合アーム４４は、内部空間４６に存在するように形成されている。嵌合アーム４４は、可撓性を有しており、中間に嵌合突起４９が、また、先端側に嵌合解除部５０がそれぞれ形成されている。嵌合アーム４４は、第二嵌合部２６の中心線（軸）Ｃ４上に配置形成されている。
【００３６】
嵌合アーム４４は、第二ブラケット１４が嵌合突起４９を乗り越えようとする時に撓むようになっている。また、嵌合アーム４４は、嵌合解除部５０を押下することによっても撓むようになっている。嵌合アーム４４が撓むと、嵌合突起４９の位置は変位する。第二ブラケット１４が嵌合突起４９を乗り越えると、嵌合アーム４４は元の状態に戻り、この時、嵌合突起４９が嵌合孔２１に差し込まれるようになっている。従ってこれにより、第二嵌合部２６と第二ブラケット１４との嵌合状態（第二嵌合状態）が形成されるようになっている。
【００３７】
嵌合突起４９や嵌合解除部５０は、箱部４３に形成された開口部５１、５２から臨むことができるように配置形成されている。嵌合アーム４４の近傍には、複数のリブ５３が形成されている。複数のリブ５３の端部には、それぞれ案内部４８が形成されている。
【００３８】
一対の第二弾性接触片４５は、内部空間４６に存在するように形成されている。一対の第二弾性接触片４５は、内部空間４６においてガタ付きの発生を抑える部分として形成されている。一対の第二弾性接触片４５は、本形態において、それぞれ片持ちのアーム形状に形成されている。一対の第二弾性接触片４５は、挿入孔４７の近傍から嵌合アーム４４に向けて斜めにのびるように形成されている。一対の第二弾性接触片４５は、この先端側が第二ブラケット１４の一方及び他方の側部２０に対して弾性的に接触するようになっている。
【００３９】
次に、上記構成及び構造に基づきながらプロテクタ１１の固定に係る作業について説明する。
【００４０】
図１において、作業者は、ワイヤハーネス１２を収納保持したプロテクタ１１を持って、先ず、第一嵌合部２５を座席下の奥側に位置する第一ブラケット１３に挿入する。この時の挿入は、第一ブラケット１３の中心線（軸）Ｃ１に対して第一嵌合部２５の軸Ｃ３が傾くような方向に挿入する。すなわち、挿入方向が矢印Ｃ方向（右斜め下方向）となるように挿入する。これにより、第一嵌合部２５と第一ブラケット１３との嵌合が開始される。
【００４１】
第一嵌合部２５を第一ブラケット１３に挿入し続けると、第一ブラケット１３の先端側部１５に第一嵌合部２５のストッパ部４２が当接する。これにより、この当接部分を支点にしてプロテクタ１１は回転方向に移動し易い状態になる（当接する前でもプロテクタ１１の回転方向の移動は可能）。
【００４２】
第一嵌合部２５と第一ブラケット１３との嵌合の過程において、プロテクタ１１を回転方向に移動させ、第二嵌合部２６を第二ブラケット１４に挿入する。この時の挿入は、第二ブラケット１４の中心線（軸）Ｃ２に対して第二嵌合部２６の中心線（軸）Ｃ４が傾くような方向に挿入する。すなわち、挿入方向が矢印Ｄ方向（反時計回り方向、或いは左斜め下方向）となるように挿入する（尚、矢印Ｄの時計回り方向（右斜め上方向）は離脱時の方向である）。これにより、第二嵌合部２６と第二ブラケット１４との嵌合が開始される。第二嵌合部２６は回転軌跡を描くように移動する。
【００４３】
第二嵌合部２６を第二ブラケット１４に挿入し続けると、嵌合が進行する。この時、第一嵌合部２５と第一ブラケット１３との嵌合も進行する。第一嵌合部２５の側では、第一嵌合部２５の軸Ｃ３が第一ブラケット１３の中心線（軸）Ｃ１に対し略一致するように第一嵌合部２５が移動して嵌合が進行する。これに対し第二嵌合部２６の側でも、第二嵌合部２６の中心線（軸）Ｃ４が第二ブラケット１４の中心線（軸）Ｃ２に対し略一致するように第二嵌合部２６が移動して嵌合が進行する。
【００４４】
第一嵌合部２５の側の嵌合が進行して、第一嵌合部２５の嵌合突起３７が第一ブラケット１３の嵌合孔１７に差し込まれると、第一嵌合部２５と第一ブラケット１３との嵌合状態（第一嵌合状態）が形成される。また、第二嵌合部２６の側の嵌合が進行して、第二嵌合部２６の嵌合突起４９が第二ブラケット１４の嵌合孔２１に差し込まれると、第二嵌合部２６と第二ブラケット１４との嵌合状態（第二嵌合状態）も形成される。プロテクタ１１は、第一ブラケット１３及び第二ブラケット１４に嵌合し、これによって固定に係る作業が完了する。以上の説明から分かるように、固定に係る作業は簡単である。プロテクタ１１は、第一ブラケット１３及び第二ブラケット１４に対して滑り込ませるような状態で嵌合状態が形成される。
【００４５】
本発明によれば、作業者にとって見づらい位置や、作業しづらい位置にブラケットを設けなければならない場合であっても、或いは、異なる方向に向くブラケットを設定しなければならない場合であっても、容易にプロテクタ１１を固定することができる。従って、固定に係る作業性の向上を図ることができるという効果を奏する。この他、本発明によれば、車両側でのレイアウトの自由度が向上するという効果も奏する。
【００４６】
本発明は本発明の主旨を変えない範囲で種々変更実施可能なことは勿論である。
【００４７】
ここで、第一ブラケット１３の向きや第二ブラケット１４の向き等について説明する。本発明では、第一ブラケット１３の中心線（軸）Ｃ１を左右方向Ａに合わせ且つ第一ブラケット１３の突出方向を左方向とするとともに、プロテクタ本体２４を右下がり方向（第一嵌合部２５が右下）にのびるものとすると、第二ブラケット１４は上方向に突出する。また、第一ブラケット１３の中心線（軸）Ｃ１を左右方向Ａに合わせ且つ第一ブラケット１３の突出方向を左方向とするとともに、プロテクタ本体２４を右上がり方向（第一嵌合部２５が右上）にのびるものとすると、第二ブラケット１４は下方向に突出する。
【００４８】
また、第一ブラケット１３の中心線（軸）Ｃ１を左右方向Ａに合わせ且つ第一ブラケット１３の突出方向を右方向とするとともに、プロテクタ本体２４を左下がり方向（第一嵌合部２５が左下）にのびるものとすると、第二ブラケット１４は上方向に突出する。また、第一ブラケット１３の中心線（軸）Ｃ１を左右方向Ａに合わせ且つ第一ブラケット１３の突出方向を右方向とするとともに、プロテクタ本体２４を左上がり方向（第一嵌合部２５が左上）にのびるものとすると、第二ブラケット１４は下方向に突出する。
【００４９】
また、第一ブラケット１３の中心線（軸）Ｃ１を上下方向Ｂに合わせ且つ第一ブラケット１３の突出方向を上方向とするとともに、プロテクタ本体２４を右上がり方向（第二嵌合部２６が右上）にのびるものとすると、第二ブラケット１４は右方向に突出する。また、第一ブラケット１３の中心線（軸）Ｃ１を上下方向Ｂに合わせ且つ第一ブラケット１３の突出方向を上方向とするとともに、プロテクタ本体２４を左上がり方向（第二嵌合部２６が左上）にのびるものとすると、第二ブラケット１４は左方向に突出する。
【００５０】
また、第一ブラケット１３の中心線（軸）Ｃ１を上下方向Ｂに合わせ且つ第一ブラケット１３の突出方向を下方向とするとともに、プロテクタ本体２４を右下がり方向（第二嵌合部２６が右下）にのびるものとすると、第二ブラケット１４は右方向に突出する。また、第一ブラケット１３の中心線（軸）Ｃ１を上下方向Ｂに合わせ且つ第一ブラケット１３の突出方向を下方向とするとともに、プロテクタ本体２４を左下がり方向（第二嵌合部２６が左下）にのびるものとすると、第二ブラケット１４は左方向に突出する。
【図面の簡単な説明】
【００５１】
【図１】本発明のプロテクタの一実施の形態を示す嵌合過程の状態説明図である。
【図２】プロテクタ及びブラケットの構造説明図である。
【図３】第一嵌合部の断面図である。
【図４】第二嵌合部の断面図である。
【図５】従来例のプロテクタの斜視図である。
【符号の説明】
【００５２】
１１  プロテクタ
１２  ワイヤハーネス
１３  第一ブラケット
１４  第二ブラケット
１５  先端側部
１６  側部
１７  嵌合孔
１８  先端側部
１９  角側部
２０  側部
２１  嵌合孔
２２、２３  台座
２４  プロテクタ本体
２５  第一嵌合部
２６  第二嵌合部
２７  底壁
２８  側壁
２９  テープ巻き部
３０  カバー取付部
３１  箱部
３２  嵌合アーム
３３  第一弾性接触片
３４  内部空間
３５  挿入孔
３６  案内部
３７  嵌合突起
３８  嵌合解除部
３９、４０  開口部
４１  リブ
４２  ストッパ部
４３  箱部
４４  嵌合アーム
４５  第二弾性接触片
４６  内部空間
４７  挿入孔
４８  案内部
４９  嵌合突起
５０  嵌合解除部
５１、５２  開口部
５３  リブ
Ａ  左右方向
Ｂ  上下方向
Ｃ１  第一ブラケットの中心線（軸）
Ｃ２  第二ブラケットの中心線（軸）
Ｃ３  第一嵌合部の軸
Ｃ４  第二嵌合部の中心線（軸）
【図１】
0005081519.tif 000002
【図２】
0005081519.tif 000003
【図３】
0005081519.tif 000004
【図４】
0005081519.tif 000005
【図５】
0005081519.tif 000006